(57)【特許請求の範囲】
【請求項１】
ドレナージ用排液バッグに形成された吊下用被係止部に係止される係止部を有する排液バッグハンガーと、この排液バッグハンガーに装着した、長さが調節可能な吊下用ストラップとを有してなり、
前記排液バッグハンガーは、左右に伸びる中央ロッド部分を有し、この中央ロッド部分の両端に互いに同方向に伸びるアーム部分が形成され、このアーム部分の各々の先端に排液バッグの吊下用貫通孔に係合される係止部が形成され、前記中央ロッド部分の中央領域にストラップ係合部分が設けられており、
前記吊下用ストラップは、ストラップ体と、係合されたときに当該ストラップ体によってリングが形成されるよう当該ストラップ体に設けられた、互いに着脱自在な係合素子および被係合素子よりなる係合装置とを具えることを特徴とするドレナージ用排液バッグ保持装置。
【請求項２】
排液バッグハンガーには、排液バッグに接続される排液流入用チューブを保持するためのチューブ保持部が設けられていることを特徴とする請求項１に記載のドレナージ用排液バッグ保持装置。
【発明の詳細な説明】
【０００１】
【発明の属する技術分野】
本発明は、医療の分野におけるドレナージ用排液バッグの保持装置に関し、詳しくは、例えば脳室ドレナージ回路固定装置に用いられる排液バッグ、その他の医療のためのドレナージにおいて用いられる排液バッグを、適宜の支持部材あるいは支持個所、例えばベッドの構造体の一部、その他に保持させるための保持装置に関する。
【０００２】
【従来の技術】
例えば脳神経外科領域の医療においては、脳腫瘍、脳浮腫、頭部外傷、脳室内出血、クモ膜下出血などによる病態、例えば髄液循環障害、頭蓋内圧亢進、脳血管攣縮などを改善する目的で、脳室、脳槽、脊髄腔（スパイナル）に持続ドレナージが使用される。
【０００３】
図５は、脳室ドレナージが適用されている状態の説明図であって、脳室ドレナージチューブ８０はその一端が患者Ｐの脳室内の目的個所に挿入されると共に、他端は脳室ドレナージ回路８２に接続される。この脳室ドレナージ回路８２は、通常、透明な材質よりなる円筒状容器８３と、脳室ドレナージチューブ８０に連結された吐出チューブ８４と、排出チューブ８６とを有しており、吐出チューブ８４は容器８３内においてサイフォンを構成し、その液滴吐出口８５は、患者Ｐの外耳孔のレベルＢより高さＨだけ上方のレベルＬに位置される。この液滴吐出口８５からの吐出液は、容器８３から下方に伸びる排出チューブ８６を介して、その先端が接続された排液バッグ９０に排出される。８７は脳室ドレナージ回路８２の吊下用紐、８８はフィルター、８９はチューブ用クランプである。
【０００４】
従来、この種の排液バッグについては、それを保持するために特定の方式が採用されておらず、例えば、患者のベッドの下部の構造体の一部である横方向ポールを支持部材として利用して、これに紐などを用いて吊り下げたり、ベッドのシーツに安全ピンや絆創膏あるいは粘着テープなどにより固定したり、通常のハンガーまたはそれと同様の形状のものを用いて、ベッドの一部に吊り下げたりしている。
【０００５】
しかしながら、これらの保持手段では、実際上、種々の問題点がある。すなわち、紐や安全ピン、絆創膏などを用いた場合には、排液バッグの保持そのものが不安定で不確実であり、また当該排液バッグの交換が面倒であり、外観が悪く、しかも保持された排液バッグが変形を伴うことが多く、その場合には、排液バッグの表面に設けられている容量目盛り線によって正確な排出液量を知ることができない。
また、ハンガーまたはこれに類するものを用いた場合にも、保持状態が不安定なことが多く、また衛生上の問題が生ずるおそれもあり、更に吊り下げるための支持部材、例えばベッドの横方向ポールなどにおける制限から、排液バッグの保持そのものが不可能であったり、好適な保持状態を実現することができない場合も多い。
【０００６】
【発明が解決しようとする課題】
以上のように、現在まで、特に好適なドレナージ用排液バッグ保持装置は知られておらず、相当な不便を強いられていたのが現状である。
本発明は、以上のような事情に基いてなされたものであって、その目的は、ドレナージ用排液バッグを、患者のベッドの一部またはその他の適宜の支持部材により、容易に安定な状態で保持することができ、また排液バッグの交換を容易に行うことのできるドレナージ用排液バッグ保持装置を提供することにある。
【０００７】
【課題を解決するための手段】
本発明に係るドレナージ用排液バッグ保持装置は、ドレナージ用排液バッグに形成された吊下用被係止部に係止される係止部を有する排液バッグハンガーと、この排液バッグハンガーに装着した、長さが調節可能な吊下用ストラップとを有してなり、
前記排液バッグハンガーは、左右に伸びる中央ロッド部分を有し、この中央ロッド部分の両端に互いに同方向に伸びるアーム部分が形成され、このアーム部分の各々の先端に排液バッグの吊下用貫通孔に係合される係止部が形成され、前記中央ロッド部分の中央領域にストラップ係合部分が設けられており、
前記吊下用ストラップは、ストラップ体と、係合されたときに当該ストラップ体によってリングが形成されるよう当該ストラップ体に設けられた、互いに着脱自在な係合素子および被係合素子よりなる係合装置とを具えることを特徴とする。
ここに、排液バッグハンガーには、排液バッグに接続されるチューブを保持するためのチューブ保持部が設けられていることが好ましい。
【０００８】
【発明の実施の形態】
以下、本発明に係るドレナージ用排液バッグ保持装置の一例について具体的に説明する。
図１は、本発明の一例に係る医療ドレナージ用排液バッグ保持装置の説明用正面図、図２は、同装置の説明用側面図、図３は、使用状態における同装置の説明用正面図、図４は、使用状態における同装置の説明用側面図である。
【０００９】
図において、４０は排液バッグであって、この排液バッグ４０には、その上端縁部分における左右両側にそれぞれ位置するよう、吊下用被係止部である吊下用貫通孔（図示されていない。）の一対が形成されている。４４は排液流入用チューブ、４６はエアー抜き用チューブである。
【００１０】
このような排液バッグ４０を保持するためのドレナージ用排液バッグ保持装置１０は、基本的に、排液バッグハンガー２０と、吊下用ストラップ３０とにより構成される。
排液バッグハンガー２０は、左右に伸びる中央ロッド部分２１を有し、この中央ロッド部分２１の両端には、互いに同方向に伸びるアーム部分２２，２２が形成され、このアーム部分２２，２２の各々の先端には、排液バッグ４０の吊下用貫通孔に係合される、各々Ｊ字状のフック部２４，２４が、係止部として形成されている。
【００１１】
中央ロッド部分２１の中央領域には、上方に突出する状態で、ストラップ挿通孔２５Ａ有するストラップ係合部分２５が一体に設けられている。
また、中央ロッド部分２１の下部側には補強板部分２６が形成され、その上縁は中央ロッド部分２１と一体に接続され、また両端がアーム部分２２，２２と一体に接続された状態とされている。そして、この補強板部分２６には、排液バッグ４０に接続された排液流入用チューブ４４の一部を保持するためのチューブ保持部２８が形成されている。このチューブ保持部２８は、互いに対向して前方に突出する一対の湾曲舌片よりなり、前方の開口を介して挿入された排液流入用チューブ４４を挟持することにより、着脱自在に保持するものである。
【００１２】
吊下用ストラップ３０は、排液バッグハンガー２０のストラップ係合部分２５に係るストラップ挿通孔２５Ａに挿通されたストラップ体３２と、このストラップ体３２に設けられたバックル３４とにより構成されている。
このバックル３４は、係合素子である挿入側係合子３６と、被係合素子である受容側係合子３７とにより構成され、図３に示すように、挿入側係合子３６が受容側係合子３７内に挿入されると、変形しながら進入した挿入側係合子３６の先端側の可変形係合爪部分が形状復帰して受容側係合子３７の係合部に係合することにより、一体に連結されると共に、挿入側係合子３６の先端両側のプレス部分を押すことにより、可変形係合爪部分が変位して、挿入側係合子３６は、その受容側係合子３７との係合状態が解除されて抜去可能となるものである。
【００１３】
この挿入側係合子３６と受容側係合子３７は、一本のストラップ体３２に適宜の距離をおいて固定されており、従って、それらが互いに係合されたときには、ストラップ体３２によりリングが形成されることとなる。更に、挿入側係合子３６および受容側係合子３７の少なくとも一方または両方は、ストラップ体３２に対して固定位置が変位可能に設けられており、これにより、係合により形成されるリング体の周の長さが調節可能とされている。
【００１４】
以上において、排液バッグハンガー２０およびバックル３４は、いずれも、合成樹脂製とすることができ、具体的には、例えばアクリロニトリル−スチレン−スチレン樹脂、ポリエチレンテレフタレート樹脂、その他の適宜のものを用いることができる。
また、ストラップ体３２としては、特に限定されるものではないが、例えばポリプロピレン繊維によるベルト状のものを好適に使用することができる。
【００１５】
以上のドレナージ用排液バッグ保持装置は、次のようにして用いられる。
図３および図４に示すように、ストラップ体３２を排液バッグハンガー２０のストラップ挿通孔２５Ａに挿通させると共に、例えばベッドの横方向ポール４８を支持部材として用いる場合には、当該横方向ポール４８がストラップ体３２によるリング内に挿入された状態となるよう、ストラップ体３２を当該横方向ポール４８の外周に沿って廻らせた上で、バックル３４の挿入側係合子３６を受容側係合子３７に挿入して互いに係合させる。
【００１６】
その結果、当該ストラップ体３２によるリングにより、支持部材である横方向ポール４８に排液バッグハンガー２０が吊下支持される。
従って、この排液バッグハンガー２０のアーム部分２２，２２の先端のフック部２４，２４に、排液バッグ４０の吊下用貫通孔を引っかけて係止させることにより、当該フック部２４，２４に排液バッグ４０が吊下された状態となり、これによって、当該排液バッグ４０が保持される。
【００１７】
而して、上記の構成によれば、排液バッグ４０は、直接には排液バッグハンガー２０によって吊下され、当該排液バッグハンガー２０は吊下用ストラップ３０によって支持部材に吊下されるため、その保持状態はきわめて安定にかつ確実である。しかも、その作業は、排液バッグ４０を排液バッグハンガー２０のフック部２４，２４に係止させ、吊下用ストラップ３０を支持部材に懸けるのみでよいので、きわめて容易である。
また、保持された状態では、排液バッグ４０はその自然の形状が保たれた状態となるため、外観が良好であり、排液バッグ３０が変形することがないので、安全性に不安がなく、排液バッグの表面における容量目盛り線が実際の排出液量を正確に表わすものとなり、読み取り誤差が少なくなる。
【００１８】
更に、排液バッグ４０を交換すべき場合には、使用されてきた排液バッグ保持装置を、そのバックル３４の挿入側係合子３６と受容側係合子３７との係合を外すことによって取り外し、予めフック部２４，２４に新しい排液バッグ４０を係止させた新しい排液バッグ保持装置を、支持部材に吊下すればよい。
あるいは、使用されてきた排液バッグ４０をフック部２４，２４から取り外して新しい排液バッグ４０をフック部２４，２４に係止すればよい。
いずれの場合でも、実際のベッド際での作業はきわめて簡単なものとなり、しかも確実にかつ好適な状態で排液バッグ４０を支持部材に保持させることができる。
【００１９】
また、上記の構成のドレナージ用排液バッグ保持装置では、吊下用ストラップ３０において、バックル３４の係合によって形成されるリングの長さは、ストラップ体３２における挿入側係合子３６または受容側係合子３７の固定位置を変位させることにより、自由に変えることが可能であり、従って、支持部材あるいは支持個所を大きな自由度で選択することができる。
【００２０】
更に、上記の例のように、チューブ保持部２８を設けておくことにより、排液バッグ４０に接続された排液流入用チューブ４４を、当該排液バッグ４０を保持する排液バッグハンガー２０に一体的に固定することができるので、当該排液流入用チューブ４４の接続状態が安定となり、接続状態が外れるおそれは皆無となる。
【００２１】
また、ドレナージ用排液バッグ保持装置における排液バッグハンガー２０およびバックル３４を合成樹脂製とすることにより、全体を軽量なものとすることができ、取扱いに便利であり、また衛生的である。
【００２２】
以上、本発明の一実施例について説明したが、本発明においては、種々の変更を加えることができる。例えば、排液バッグと排液バッグハンガーとの係止は、上記の例では、排液バッグに形成された吊下用貫通孔と、排液バッグハンガーに形成されたフック部であるが、このような孔とフック部とによらず、他の係止手段を利用することができる。
同様に、ストラップ体に設けられる係合装置は、図示の例によるバックルによる連結構造のものでなくてもよく、自由に着脱自在に連結し得るものであれば使用することができる。
また、ストラップ体３２によるリングには、他の連結用または吊下用のフック部材やリング部材を取り付けて使用することも可能である。
【００２３】
本発明のドレナージ用排液バッグ保持装置によって保持することのできる排液バッグは、脳室ドレナージ用のものに限定されず、種々のドレナージ用排液バッグ、例えば胆汁ドレーンバッグ、その他の外科全般において用いられるドレナージバッグ、採尿バッグなどの保持に使用することができる。
【００２４】
【発明の効果】
以上のように、本発明によれば、きわめて簡単な構成により、ドレナージ用排液バッグを、患者のベッドの一部またはその他の適宜の支持部材により、容易に安定な状態で保持することができ、また排液バッグの交換を容易に行うことのできるドレナージ用排液バッグ保持装置を提供することができる。
【図面の簡単な説明】
【図１】本発明の一例に係る医療ドレナージ用排液バッグ保持装置の正面図である。
【図２】図１の装置の説明用側面図である。
【図３】使用状態における図１の装置の正面図である。
【図４】使用状態における図１の装置の説明用側面図である。
【図５】脳室ドレナージが適用されている状態の説明図である。
【符号の説明】
１０  ドレナージ用排液バッグ保持装置
２０  排液バッグハンガー
２１  中央ロッド部分
２２  アーム部分
２４  フック部
２５Ａ  ストラップ挿通孔
２５  ストラップ係合部分
２６  補強板部分
２８  チューブ保持部
３０  吊下用ストラップ
３２  ストラップ体
３４  バックル
３６  挿入側係合子
３７  受容側係合子
４０  排液バッグ
４４  排液流入用チューブ
４６  エアー抜き用チューブ
８０  脳室ドレナージチューブ
Ｐ  患者
８２  脳室ドレナージ回路
８３  容器
８４  吐出チューブ
８５  液滴吐出口
８６  排出チューブ
８７  吊下用紐
８８  フィルター
８９  チューブ用クランプ
９０  排液バッグ
【図１】
0004041208.tif 000002
【図２】
0004041208.tif 000003
【図３】
0004041208.tif 000004
【図４】
0004041208.tif 000005
【図５】
0004041208.tif 000006